(57)【要約】【課題】手で飲料用の箱型紙パック及び、ジュース缶等を開けることは、年寄、児童、指先の不自由な人、細かい作業を苦手とする人にとって難しいことである。【解決手段】箱型紙パックの開封器具本体で、一方に第１のテーパ部５を設け、この第１のテーパ部５の外側両端部に第２のテーパ部６を設け、そして第１のテーパ部５の中央部に本体１の長手方向に溝２を設けている。箱型紙パックの開封器具を用いることにより、箱型紙パックを簡単にかつ確実に開封することができる。また、第１のテーパ部と第２のテーパ部の境目をなくし、滑らかな円弧状のテーパ部に形成しても良い。【選択図】  図１
2020132228.tif 000002
【特許請求の範囲】
【請求項１】
本体の一方に、先端部へ向って第１のテーパ部を設け、この第１のテーパ部の外側両端部に第１テーパ部と同様に本体の先端部へ向って第２のテーパ部を設け、前記第１のテーパ部の中央部に本体の長手方向に勾配付きの溝を設けたことを特徴とする箱型紙パックの開封器具。
【請求項２】
本体の一方に、先端部へ向って滑らかな円弧状のテーパ部を設け、この円弧状テーパ部の中央部に本体の長手方向に勾配付きの溝を設けたことを特徴とする箱型紙パックの開封器具。
【請求項３】
前記本体の他方に、L字型部材を設けたことを特徴とする請求項１、請求項２に記載の箱型紙パックの開封器具。
【請求項４】
前記L字型部材の先端部分の外側にテーパを設けたことを特徴とする請求項３に記載の箱型紙パックの開封器具。
【発明の詳細な説明】
【技術分野】
【０００１】
本発明は、飲料用の箱型紙パック及び、ジュース缶等の容器を簡単に開く開封器に関する。
【背景技術】
【０００２】
従来の飲料用の箱型紙パック及び、ジュース缶等の注ぎ口の開け方としては、今もって手の指で開ける方法は変っていない。
【先行技術文献】
【特許文献】
【０００３】
【特許文献１】特開２００６−１６０３６４号  公報
【発明の概要】
【発明が解決しようとする課題】
【０００４】
手で飲料用の箱型紙パック及び、ジュース缶等を開けることは、年寄、児童、指先の不自由な人、細かい作業を苦手とする人にとって難しいことである。
本発明は、このような従来の開ける方法が有していた問題を解決しようとするものであり、飲料用の箱型紙パック及び、ジュース缶等の飲料容器を開けることの省力を簡単に実現することを目的とするものである。
【課題を解決するための手段】
【０００５】
本発明は、上記目的を達成するために、飲料用の箱型紙パック開封器本体に注ぎ口を形成するために及び、ジュース缶を開缶するための缶開け部を形成する。
本発明は、本体の一方に第１のテーパ部５を設け、この第１のテーパ部の外側両端部に第２のテーパ部６を設ける。第１のテーパ部５の中央部に本体の長手方向に勾配付きの溝２を設ける。この勾配は紙パックの３傾斜部Ａと４傾斜部Ｂを挟み込んで、奥まで滑らせながら差し込むのに都合がよい。本体の他方にはＬ字型部材を設ける。そしてL字型部材の先端部分の外側にテーパを設ける。このテーパの先端部は作業中に手を傷付けないように鋭さを欠いた丸みを設ける。このＬ字型部材はジュース缶の開缶時には、缶上部に設けられた手掛け部に差し込み、手前に引くことにより容易に開缶することも出来る。
【発明の効果】
【０００６】
本発明によれば、箱型紙パック等の開封作業において、本発明の箱型紙パックの開封器具を用いることにより、箱型紙パックを簡単にかつ確実に開封することができる。
【図面の簡単な説明】
【０００７】
【図１】本発明に係る開封器の全体図
【図２】本発明に係る開封器の正面図
【図３】本発明に係る開封器の側面図
【図４】本発明に係る開封器のL字型部材の斜視図
【図５】本発明に係る開封器を箱型紙パックに溝を差し込む図
【図６】本発明に係る開封器を差し込んで広げた図
【図７】本発明に係る開封器を箱型紙パックの他方に溝を差し込んで広げた図
【図８】本発明に係る開封器を箱型紙パックの開閉部が開かれた状態図
【図９】本発明に係る開封器を箱型紙パックの注ぎ部にL字型部材を差し込んだ状態図
【図１０】本発明に係る開封器の本体の一方を円弧状にした斜視図
【図１１】本発明に係る開封器のL字型部材をジュース缶等の飲み口の開閉フタ部に、L字型部材を用いたときの図
【発明を実施するための形態】
【０００８】
以下、本発明の実施の形態を図１〜図４に基づいて説明する。
【０００９】
図１においては、１は箱型紙パックの開封器具本体で、一方に先端側に向って第１のテーパ部５を設け、この第１のテーパ部５の外側両端部に第１のテーパ部と同様に先端側へ向って第２のテーパ部６を設け、そして第１のテーパ部５の中央部に本体１の長手方向に勾配付きの溝２を設けている。この溝２の幅は箱型紙パックの折りたたみ部分の厚さを保持できる幅であればよい。この箱型紙パックの開封器具の本体の材質は、木製、金属、プラスチックでも使用強度に耐えられる材質ならばよい。
さらに、本体１の他方にはL字型部材７を設けている。このL字型部材７は金属または強化プラスチックなどで形成されており、ねじ止め又は接着固定されている。
そして、図４の用にＬ字型部材７の先端部分の外側にはテーパ９が設けられている。
このテーパ９は作業中に手を傷付けないように、鋭さを欠いた丸味を設ける。又、箱型紙パックの開封器具本体１とL字型部材７を同一材質で一体成型してもよい。
【００１０】
本発明に係る箱型紙パックを開封するときの作業を図５〜図９に基づいて説明する。
図５に示す箱型紙パックの屋根状に折りたたまれた部分の一方Ａ部３に、本体の溝２を挟んで箱型紙パックのC面８に本体の第１のテーパ部５を滑らせながら差し込む、更にひねって第２のテーパ部６をC面８に滑らせ奥まで差し込む。次に図６に示すように、注ぎ口の中央部を支点に回転させて開く。図７に示すように箱型紙パックの屋根状に折りたたまれた部分の他方B部４も対称に注ぎ口の中央部を支点に回転させて広げる。図８に示すようにA部３とB部４が共に完全に広げられる。そして図９に示すように、密封された部分にこの時、注ぎ口の中央部にわずかに隙間が出来ているので、開封機本体を持ち替えて、開封器本体１の他方に設けたL字型部材７を差し込み、手前に引くことにより、注ぎ口が形成される。図１０に示すように第１のテーパ部５と第２のテーパ部６の境目をなくし、滑らかな円弧状のテーパ部に形成しても良い。
【００１１】
図１１に示すように、ジュース缶等を開缶するきに開封器本体１に設けたL字型部材７をジュース缶の上部に設けられた手掛け部に差し込み、手前に引くことにより、容易に開缶することも出来る。さらに、保管時に壁などに掛けておくのに使用もできる。
【符号の説明】
【００１２】
１  開封器具本体
２  溝
３  紙パックの傾斜部Ａ
４  紙パックの傾斜部Ｂ
５  第１テーパ部
６  第２テーパ部
７  L字型部材
８  紙パックの傾斜部Ｃ
９  L字型部材端部のテーパ部
１０  円弧状のテーパ部
【図１】
2020132228.tif 000003
【図２】
2020132228.tif 000004
【図３】
2020132228.tif 000005
【図４】
2020132228.tif 000006
【図５】
2020132228.tif 000007
【図６】
2020132228.tif 000008
【図７】
2020132228.tif 000009
【図８】
2020132228.tif 000010
【図９】
2020132228.tif 000011
【図１０】
2020132228.tif 000012
【図１１】
2020132228.tif 000013
【手続補正書】
【提出日】令和1年6月20日(2019.6.20)
【手続補正１】
【補正対象書類名】特許請求の範囲
【補正対象項目名】全文
【補正方法】変更
【補正の内容】
【特許請求の範囲】
【請求項１】
本体の一方に、先端部へ向って第１のテーパ部を設け、この第１のテーパ部の外側両端 部に第１テーパ部と同様に本体の先端部へ向って第２のテーパ部を設け、前記第１のテー パ部の中央部に本体の長手方向に勾配付きの溝を設けたことを特徴とする箱型紙パックの 開封器具。
【請求項２】
本体の一方に、先端部へ向って滑らかな円弧状のテーパ部を設け、この円弧状テーパ部の 中央部に本体の長手方向に勾配付きの溝を設けたことを特徴とする箱型紙パックの開封器具。
【請求項３】
前記本体の他方に、L字型部材を設けたことを特徴とする請求項１又は請求項２に記載の 箱型紙パックの開封器具。
【請求項４】
前記L字型部材の先端部分の外側にテーパを設けたことを特徴とする請求項３に記載の 箱型紙パックの開封器具。